(57)【要約】    【課題】鑑賞者に違和感を与えることなく、縮小画像又は画像の一部が間引かれた画像を表示画面内の一部領域に表示させることが可能な画像表示方法を提供することを目的とする。    【解決手段】入力映像信号によって表される各フレーム毎の画像を表示画面内の第１領域に表示させると共に、この第１領域内に表示される画像を表示画面枠に向けて放射状に広げた放射状画像パターンを表示画面内の第２領域に表示させる。    【選択図】  図４
2009162899.tif 000002
【特許請求の範囲】
【請求項１】
入力映像信号に基づく画像を表示パネルによって表示する画像表示方法であって、
前記表示パネルの表示画面を少なくとも２つの第１領域及び第２領域に分割し、
前記入力映像信号によって表される各フレーム毎の画像を前記第１領域内に表示させると共に、前記第１領域内に表示される画像を前記表示画面枠に向けて放射状に広げた放射状画像パターンを生成しこれを前記第２領域内に表示させることを特徴とする画像表示方法。
【請求項２】
前記第１領域内における所定の座標位置を基準点とし、夫々が前記基準点から前記表示画面の外枠に向けて放射状に広がる複数の放射状領域毎に前記第１領域内に含まれる画素各々に対応した前記入力映像信号に基づく画素データを加重平均することにより前記放射状画像パターンを表す背景画素データを生成することを特徴とする請求項１に記載の画像表示方法。
【請求項３】
前記基準点は、前記第１領域内の中心点、前記第１領域内において表示させるべき画像の消失点、或いは前記第１領域に表示される表示物体の重心点の内の１であることを特徴とする請求項２に記載の表示パネルの駆動方法。
【請求項４】
前記表示画面内における前記第１領域の位置を所定時間毎に移動させることを特徴とする請求項１又は２に記載の画像表示方法。
【請求項５】
前記第１領域における２次元平面での大きさ示す画像サイズ指定信号に応じて、前記表示画面内において前記第１領域の大きさを変更することを特徴とする請求項１又は２に記載の画像表示方法。
【請求項６】
前記放射状領域毎に、前記第１領域内において一部の領域を省いた領域に含まれる画素各々に対応した前記画素データを加重平均することにより前記背景画素データを生成することを特徴とする請求項２に記載の画像表示方法。
【請求項７】
前記第１領域中における前記一部の領域に対しては、前記背景画素データに基づく表示を行うことを特徴とする請求項６に記載の画像表示方法。
【請求項８】
前記第１領域中における前記一部の領域に対しては、この領域に含まれる各画素毎の前記画素データ及び前記背景画素データを混合して得られた混合画素データに基づく表示を行うことを特徴とする請求項６に記載の表示パネルの駆動方法。
【請求項９】
前記第２領域中に文字情報を表示することを特徴とする請求項１又は２に記載の画像表示方法。
【請求項１０】
前記第２領域中では、前記基準点から離れた位置に存在する画素ほど強制的に輝度を低下させることを特徴とする請求項２に記載の画像表示方法。
【請求項１１】
前記画像サイズ指定信号は前記表示画面内での前記第１領域の位置を指定する為の位置情報を含み、
前記表示画面内における前記第１領域の位置を前記画像サイズ指定信号によって指定された位置に変更することを特徴とする請求項５に記載の画像表示方法。
【請求項１２】
時間的に前後するフレーム間で前記第１領域が前記表示画面内において移動した場合、その移動に追従させて前記基準点を前記フレーム間で移動させることを特徴とする請求項２に記載の画像表示方法。
【請求項１３】
時間的に前後するフレーム間で前記第１領域が前記表示画面内において移動した場合であっても、前記基準点の前記表示画面内での位置は前記フレーム間で同一であることを特徴とする請求項２に記載の画像表示方法。
【請求項１４】
前記第２領域は、前記表示画面内における前記第１領域の周辺に存在する画素各々を含む同心長方形状の領域であることを特徴とする請求項１又は２記載の画像表示方法。
【請求項１５】
入力映像信号に基づく画像を表示パネルによって表示する画像表示方法であって、
前記表示パネルの表示画面内において前記表示画面のサイズよりも小なる画像サイズを有する第１領域及びこの第１領域の周辺に存在する第２領域の内の前記第１領域には、前記入力映像信号によって表される各フレーム毎の画像を縮小させて表示させると共に、前記第２領域には前記第１領域内に表示される画像を前記表示画面枠に向けて放射状に広げた放射状画像パターンを有する背景画像を表示させることを特徴とする画像表示方法。
【請求項１６】
入力映像信号に基づく画像を表示パネルによって表示する画像表示方法であって、
前記表示パネルの表示画面を少なくとも２つの第１領域及び第２領域に分割し、
前記入力映像信号によって表される各フレーム毎の画像を前記第１領域内に表示させると共に、前記第１領域内に設定された基準点を中心として前記表示画面枠に向けて放射状に広げた放射状画像パターンを前記第２領域内に表示させることを特徴とする画像表示方法。
【発明の詳細な説明】
【技術分野】
【０００１】
本発明は、入力映像信号に対応した画像を表示する際の画像表示方法に関する。
【背景技術】
【０００２】
現在、高精細画像を表示するディスプレイ装置として、４０インチ以上の大画面を有するものが製品化されている。ところが、このような大画面の表示を比較的近距離から鑑賞する場合には、かえって画像が大き過ぎて見にくくなるという問題があった。
【０００３】
そこで、入力映像信号に基づく画像を画面のサイズよりも縮小させて、その画面内の一部の領域に表示させるようにした映像装置が提案された（例えば特許文献１参照）。かかる映像装置では、画面内において、上述した如く縮小された画像が表示される領域以外の部分（背景領域）に対しては、所定の単色（例えば黒又は青色）表示を行うようにしている。
【０００４】
しかしながら、このような表示によると、縮小された画像の外周部、つまり上記背景領域ではその縮小された画像とは何ら関連性の無い単色表示が為されるので、鑑賞者に違和感を与えてしまうという問題があった。
【特許文献１】特開２００３−５８１０１号公報
【発明の開示】
【発明が解決しようとする課題】
【０００５】
本発明は、かかる問題を解決すべく為されたものであり、鑑賞者に違和感を与えることなく、縮小画像又は画像の一部が間引かれた画像を表示画面内の一部領域に表示させることが可能な画像表示方法を提供することを目的とする。
【課題を解決するための手段】
【０００６】
請求項１記載による画像表示方法は、入力映像信号に基づく画像を表示パネルによって表示する画像表示方法であって、前記表示パネルの表示画面を少なくとも２つの第１領域及び第２領域に分割し、前記入力映像信号によって表される各フレーム毎の画像を前記第１領域内に表示させると共に、前記第１領域内に表示される画像を前記表示画面枠に向けて放射状に広げた放射状画像パターンを生成しこれを前記第２領域内に表示させる。
【０００７】
又、請求項１５記載による画像表示方法は、入力映像信号に基づく画像を表示パネルによって表示する画像表示方法であって、前記表示パネルの表示画面内において前記表示画面のサイズよりも小なる画像サイズを有する第１領域及びこの第１領域の周辺に存在する第２領域の内の前記第１領域には、前記入力映像信号によって表される各フレーム毎の画像を縮小させて表示させる一方、前記第２領域には前記第１領域内に表示される画像を前記表示画面枠に向けて放射状に広げた放射状画像パターンを有する背景画像を表示させる。
【０００８】
又、請求項１６記載による画像表示方法は、入力映像信号に基づく画像を表示パネルによって表示する画像表示方法であって、前記表示パネルの表示画面を少なくとも２つの第１領域及び第２領域に分割し、前記入力映像信号によって表される各フレーム毎の画像を前記第１領域内に表示させると共に、前記第１領域内に設定された基準点を中心として前記表示画面枠に向けて放射状に広げた放射状画像パターンを前記第２領域内に表示させる。
【発明を実施するための最良の形態】
【０００９】
入力映像信号によって表される各フレーム毎の画像を表示画面内の第１領域に表示させると共に、この第１領域内に表示される画像を表示画面枠に向けて放射状に広げた放射状画像パターンを表示画面内の第２領域に表示させる。
【実施例１】
【００１０】
図１は、本発明に基づく画像表示方法に従って、入力映像信号に対応した画像を表示するプラズマディスプレイ装置の構成を示す図である。
【００１１】
図１において、プラズマディスプレイパネルとしてのＰＤＰ１０は、放電ガスが封入されている放電空間を挟んで対向配置された前面透明基板（図示せぬ）及び背面基板（図示せぬ）を備えている。前面透明基板の一方の面は表示画面を担う。又、前面透明基板の他方の面上には表示画面の横方向（水平方向）に夫々伸張して配列された行電極Ｘ１〜Ｘｎ及び行電極Ｙ１〜Ｙｎが形成されている。これら行電極Ｘ1〜Ｘn及び行電極Ｙ1〜Ｙnは、夫々一対の行電極Ｘi及びＹi(ｉ：1〜n)にて、ＰＤＰ１０における第１〜第ｎ表示ラインを担っている。背面基板上には、行電極Ｘ1〜Ｘn及び行電極Ｙ1〜Ｙn各々と交叉するように、２次元表示画面の縦方向（垂直方向）に夫々伸張して配列された列電極Ｄ１〜Ｄｍが形成されている。上記放電空間を含む各行電極対（Ｘ、Ｙ）と列電極Ｄとの交叉部に、画素としての放電セル（表示セル）Ｐが形成される構造となっている。尚、放電セルＰ(1,1)〜Ｐ(n,m)の内で、第（３ｔ−２）列（ｔ：１〜m/3なる整数）に属する放電セル、つまり、第１列、第４列、第７列、・・・、第(ｍ−２)列に属する放電セルＰ内には赤色発光を為す蛍光体が形成されており、放電に伴い赤色の表示光を放出する。又、放電セルＰ(1,1)〜Ｐ(n,m)の内で、第（３ｔ−１）列（ｔ：１〜m/3なる整数）に属する放電セル、つまり、第２列、第５列、第８列、・・・、第(ｍ−１)列に属する放電セルＰ内には緑色発光を為す蛍光体が形成されており、放電に伴い緑色の表示光を放出する。又、放電セルＰ(1,1)〜Ｐ(n,m)の内で、第（３ｔ）列（ｔ：１〜m/3なる整数）に属する放電セル、つまり、第３列、第６列、第９列、・・・、第ｍ列に属する放電セルＰ内には青色発光を為す蛍光体が形成されており、放電に伴い青色の表示光を放出する。
【００１２】
Ａ／Ｄ変換器１は、入力映像信号ＶＤを各画素（放電セルＰ）毎にその輝度レベルを例えば８ビットで表す画素データＤＤに変換して画像処理回路２に供給する。
【００１３】
画像処理回路２は、各画素毎の画素データＤＤに対して、リモコン２００から供給された各種操作指令信号に応じた各種画像処理（後述する）を施して得られた各画素毎の画素データＰＤをＳＦデータ生成回路３に供給する。尚、リモコン２００は、操作者からの各種操作（後述する）を受け付けその操作内容に対応した操作指令信号をこのプラズマディスプレイ装置に送信するものであり、上記画像処理回路２の他にチューナ部（図示せぬ）及びオーディオ部（図示せぬ）に対する操作制御をも行う。
【００１４】
ＳＦデータ生成回路３は、各画素データＰＤに対し、先ず、誤差拡散処理及びディザ処理等からなる多階調化処理を施す。例えば、ＳＦデータ生成回路３は、画素データＰＤの上位ビット群を表示データ、残りの下位ビット群を誤差データと捉える。ＳＦデータ生成回路３は、周辺画素各々に対応した画素データにおける上記誤差データを重み付け加算したものを、上記表示データに反映させることにより誤差拡散処理画素データを得る（誤差拡散処理）。次に、ＳＦデータ生成回路３は、互いに隣接する複数の画素からなる画素群毎に、各画素に対応した上記誤差拡散処理画素データに夫々、互いに異なる係数値からなるディザ係数を夫々割り当てて加算し、その加算結果中の所定の上位ビット群を多階調化画素データとして得る（ディザ処理）。次に、ＳＦデータ生成回路３は、上記多階調化画素データに基づき、図２に示す如きＮ個（Ｎ：整数）のサブフィールドＳＦ１〜ＳＦ（Ｎ）各々において、放電セルＰを点灯及び消灯モードの内のいずれの状態に設定するのかを各ビット毎に示すＳＦデータＧＤを生成する。ＳＦデータ生成回路３は、各画素毎のＳＦデータＧＤ各々を順次、ＳＦメモリ４に供給する。
【００１５】
ＳＦメモリ４は、ＳＦデータＧＤの各々を順次書き込み、１フレーム分の書き込みが終了する度に、以下の如き読み出し動作を行う。すなわち、ＳＦメモリ４は、図２に示す如きサブフィールドＳＦ１〜ＳＦ（Ｎ）各々において、１フレーム分のＳＦデータＧＤ各々から、そのサブフィールドに対応したビット桁を分離して読み出し、夫々アドレスデータビットＤＢとしてアドレスドライバ６に供給する。
【００１６】
駆動制御回路２０は、図２に示す発光駆動シーケンスに従って、ＰＤＰ１０を駆動すべき各種駆動制御信号を、アドレスドライバ６、Ｘ電極ドライバ７及びＹ電極ドライバ８からなるパネルドライバに供給する。すなわち、駆動制御回路２０は、１フレーム又は１フィールド表示期間（以下、単位表示期間と称する）毎に、図２に示すサブフィールドＳＦ１〜ＳＦ（Ｎ）各々において、アドレス行程Ｗ及びサスティン行程Ｉに従った駆動を順次実施させるべき各種制御信号をパネルドライバに供給する。尚、駆動制御回路２０は、先頭のサブフィールドＳＦ１に限り、アドレス行程Ｗに先立ち、リセット行程Ｒに従った駆動を実施させるべき各種制御信号をパネルドライバに供給する。パネルドライバ（アドレスドライバ６、Ｘ電極ドライバ７及びＹ電極ドライバ８）は、駆動制御回路２０から供給された各種制御信号に応じた駆動パルスを生成してＰＤＰ１０の列電極Ｄ、行電極Ｘ及びＹに供給する。
【００１７】
先ず、先頭のサブフィールドＳＦ１のリセット行程Ｒでは、Ｘ電極ドライバ７及びＹ電極ドライバ８が、リセットパルスを全ての行電極Ｘ１〜Ｘｎ及び行電極Ｙ１〜Ｙｎに印加する。かかるリセットパルスの印加に応じて、全ての放電セルＰ内においてリセット放電が生起され、全放電セルＰ内には所定量の壁電荷が形成される。これにより、全ての放電セルＰは点灯モードの状態に初期化される。又、サブフィールドＳＦ１〜ＳＦ（Ｎ）各々のアドレス行程Ｗでは、アドレスドライバ６が、ＳＦメモリ４から供給されたアドレスデータビットＤＢの論理レベルに対応したパルス電圧を有する画素データパルスを生成する。例えば、アドレスドライバ６は、アドレスデータビットＤＢが論理レベル１である場合には高電圧、論理レベル０である場合には低電圧の画素データパルスを生成する。そして、アドレスドライバ６は、かかる画素データパルスを１表示ライン分（ｍ個）ずつの画素データパルス群として列電極Ｄ１〜Ｄｍに印加する。更に、アドレス行程Ｗでは、Ｙ電極ドライバ８が、各画素データパルス群の印加タイミングと同一タイミングにて、走査パルスを行電極Ｙ１〜Ｙｎへと順次印加して行く。この際、走査パルスが印加された行電極と、高電圧の画素データパルスが印加された列電極との交叉部の放電セルＰにのみ選択的に放電が生じ、その放電セルＰ内に残存していた壁電荷が消去される。つまり、壁電荷を失った放電セルＰは消灯モードに設定されるのである。一方、かかる放電が生起されなかった放電セルＰはその直前までの状態、つまり点灯モード又は消灯モードの状態を維持する。
【００１８】
サブフィールドＳＦ１〜ＳＦ(N)各々のサスティン行程Ｉでは、Ｘ電極ドライバ７及びＹ電極ドライバ８が、各サブフィールドの輝度重みに対応した回数分だけ、行電極Ｘ１〜Ｘｎ及びＹ１〜Ｙｎに対して交互に繰り返しサスティンパルスを印加する。かかるサスティンパルスが印加される度に、壁電荷が残留したままとなっている放電セルＰ、すなわち点灯モードの状態にある放電セルＰがサスティン放電し、そのサスティン放電に伴う発光状態を維持する。
【００１９】
以上の如き駆動により、単位表示期間毎に、入力映像信号ＶＤによって示される輝度レベルに対応した数の分だけサスティン放電が繰り返し生起され、そのサスティン放電の総数に対応した中間輝度が視覚される。
【００２０】
尚、図１に示されるプラズマディスプレイ装置は、入力映像信号ＶＤに基づく画像をＰＤＰ１０による表示画面内に表示するにあたり、その画像全体のサイズを任意のサイズに変更、いわゆるリサイズすることが可能な画像サイズ調整機能を備えている。この画像サイズ調整機能を利用する場合、使用者は、先ず、図３に示す如くリモコン２００の操作面に設けられているサイズモードキーＳＭを押圧する。かかるサイズモードキーＳＭの押圧操作に応じて、リモコン２００は、サイズモード指令信号を送信する。画像処理回路２は、かかるサイズモード指令信号に応じて、
・スタンダード表示
・フル表示
・サイズ調整
の内のいずれのサイズモードで表示を実施させるのかを使用者側に選択させる為の画像（図示せぬ）を重畳表示させるべき画像処理を画素データＤＤに対して施す。尚、スタンダード表示モードは、入力映像信号ＶＤによって表される画像のサイズ及びアスペクト比を維持したまま、その画像をＰＤＰ１０の表示画面内に表示させる為のモードである。又、フル表示モードは、入力映像信号ＶＤによって表される画像のアスペクト比を強制的にＰＤＰ１０の表示画面のアスペクト比と一致させるべき処理を施してその画像を表示画面一杯に表示させる為のモードである。又、サイズ調整モードは、入力映像信号ＶＤによって表される画像のアスペクト比を維持したまま、使用者が指定した任意のサイズにてＰＤＰ１０の表示画面内にその画像を表示させる為のモードである。
【００２１】
ここで、使用者が、図３に示す如きリモコン２００の操作面に設けられている方向キーＫＹを操作することにより、上記の如きサイズモードの内からサイズ調整モードを指定すると、リモコン２００は、サイズ調整モード指令信号を送信する。その後、使用者が、リモコン２００の方向キーＫＹを操作することにより、ＰＤＰ１０の表示画面内に表示させるべき画像サイズ及びその画像を表示させるべき表示画面内での基点となる表示位置（以下、基点表示位置と称する）を指定すると、リモコン２００は、これら指定された画像サイズ及び基点表示位置を夫々表す画像サイズ指定信号を送信する。
【００２２】
画像処理回路２に搭載されているリサイズ画像表示処理部は、リモコン２００から送信されてきたサイズ調整モード指令信号を受信すると、入力映像信号ＶＤに基づく画像を上記画像サイズ指定信号によって指定された画像サイズ及び基点表示位置でＰＤＰ１０の表示画面内に表示させるべき処理を各画素毎の画素データＤＤに対して施す。
【００２３】
図４は、かかるリサイズ画像表示処理部の構成の一例を示す図である。
【００２４】
図４において、リサイズ処理部２１は、先ず、各フレーム毎に、１フレーム分の画素データＤＤに対して、その画像サイズを上記画像サイズ指定信号によって指定された画像サイズに拡大または縮小させるべきリサイズ処理を施すことにより、この画像サイズ内での各画素に対応したリサイズ処理画素データを生成する。例えば、１フレーム分の画素データＤＤによって表される画像（解像度：Ｈ[ドット」×Ｖ[ドット]）のサイズを１／４に縮小させる場合、リサイズ処理部２１は、この画像全体をＨ／２[ドット」×Ｖ／２[ドット]の画像サイズで表現した画像（以下、リサイズ画像と称する）における各画素毎のリサイズ処理画素データを生成するのである。
【００２５】
次に、リサイズ処理部２１は、上記リサイズ画像内での各画素の座標位置を示すリサイズ画像座標位置データＲＣをアドレス情報生成部２４に供給する。尚、ここで定義する画素の座標位置とは、ＰＤＰ１０の表示画面内での２次元座標位置ではなく、上記リサイズ画像の枠内での相対的な２次元座標位置である。例えば、図５に示す如く、各画素に対応した放電セルＰ(1,1)〜Ｐ(n,m)を備えたＰＤＰ１０の表示画面１０Ａ内においてｐ[ドット」×ｑ[ドット]のリサイズ画像ＲＳＺを表示させる場合には、座標位置（1,1）〜(p,q)を表すリサイズ画像座標位置データＲＣが生成される。
【００２６】
そして、リサイズ処理部２１は、上記リサイズ画像内での各画素の座標位置に対応づけして各画素毎のリサイズ処理画素データを表すリサイズ処理画素データＲＤを、背景画素データ生成部２２及びリサイズ画像メモリ２３に供給する。
【００２７】
リサイズ画像メモリ２３は、リサイズ処理画素データＲＤによって表されるリサイズ処理画素データを、後述するリサイズ画素座標位置データＤＲＣによって示されるリサイズ画像内での各画素の座標位置に対応させて順次書き込む。また、リサイズ画像メモリ２３は、後述する画素データ出力指示部２９から供給された読出指令信号ＲＥ及びリサイズ画素読出指定信号ＲＲＤに応じて、このリサイズ画素読出指定信号ＲＲＤによって示される座標位置の画素に対応したリサイズ処理画素データを読み出し、これを画素データＰＤとして図１に示すＳＦデータ生成回路３に供給する。
【００２８】
アドレス情報生成部２４は、リサイズ画像座標位置データＲＣに基づき、先ず、そのリサイズ画像内の所定の基準点から画像平面上において放射状に伸びる複数の放射状ラインを想定し、これら放射状ライン各々の内で互いに隣接するもの同士で囲まれた領域を放射状領域ＥＲとして定義する。例えば、図６においては、ＰＤＰ１０の表示画面１０Ａに表示されるリサイズ画像ＲＳＺの中心点を基準点Ｇとし、この基準点Ｇから放射状に伸びる放射状ラインＬ１〜Ｌ１２の内で互いに隣接する放射状ラインＬで囲まれた放射状領域ＥＲ１〜ＥＲ１２を定義する。次に、アドレス情報生成部２４は、リサイズ画像座標位置データＲＣによって示される各座標位置毎に、その座標位置が上記放射状領域ＥＲ各々の内のいずれに含まれるのかを判別すると共に、その座標位置から基準点Ｇまでの直線距離を基準点間距離Ｋとして求める。例えば、図６において、リサイズ画像ＲＳＺ中の座標位置(T、M)は、放射状領域ＥＲ２に含まれており、その基準点間距離ＫはＫ１である。
【００２９】
そして、アドレス情報生成部２４は、上述した如きリサイズ画像内の各座標位置毎の放射状領域ＥＲ及び基準点間距離Ｋを、その座標位置に対応づけして表すアドレス情報ＡＩを背景画素データ生成部２２に供給する。
【００３０】
背景画素データ生成部２２は、アドレス情報ＡＩ及びリサイズ処理画素データＲＤに基づき、ＰＤＰ１０の表示画面内において、リサイズ画像が表示される領域（以下、有効領域と称する）外の領域（以下、背景領域と称する）に表示させるべき画像を担う各画素毎の画素データ（以下、背景画素データと称する）を生成する。
【００３１】
すなわち、背景画素データ生成部２２は、アドレス情報ＡＩによって示される放射状領域ＥＲ各々毎に、その放射状領域ＥＲ内の全画素を対象とし、各画素の座標位置でのリサイズ処理画素データＲＤを用いた以下の如き加重平均演算を各画素色（赤、緑、青）毎に行う。これにより、各放射状領域ＥＲ毎に、その放射状領域ＥＲを挟む２つの放射状ラインＬに挟まれた背景領域内での領域（以下、背景放射状領域ＨＲと称する）に表示させるべき画像を担う各色（Ｒ、Ｇ、Ｂ）毎の背景画素データＷＡＲ、ＷＡＧ、ＷＡＢを生成する。
【００３２】
ＷＡＲ＝Σ(ＲＤiR×Ｆ（Ｋi）)／ Σ(Ｆ（Ｋi）)
ＷＡＧ＝Σ(ＲＤiG×Ｆ（Ｋi)）／ Σ(Ｆ（Ｋi）)
ＷＡＢ＝Σ(ＲＤiB×Ｆ（Ｋi）)／ Σ(Ｆ（Ｋi）)
i：１〜Q（Q：各放射状領域ＥＲに含まれる画素数）
Ｆ   ：一様増加特性の関数
ＲＤiR：i画素目の赤色の画素データ
ＲＤiG：i画素目の緑色の画素データ
ＲＤiB：i画素目の青色の画素データ
Ｋi  ：i画素目の基準点間距離
つまり、上記加重平均演算により、背景放射状領域ＨＲ内の全ての赤色画素に共通の画素データとして背景画素データＷＡＲ、背景放射状領域ＨＲ内の全ての緑色画素に共通の画素データとして背景画素データＷＡＧ、及び背景放射状領域ＨＲ内の全ての青色画素に共通の画素データとして背景画素データＷＡＢが夫々生成されるのである。
【００３３】
例えば、図６において、背景画素データ生成部２２は、放射状領域ＥＲ１内の赤色画素各々に対応したリサイズ処理画素データＲＤと、各赤色画素の座標位置に対応した基準点間距離Ｋとを用いた加重平均演算により、背景放射状領域ＨＲ１に表示させるべき画像中の赤色画素各々に共通の背景画素データＷＡＲを生成する。又、図６において、背景画素データ生成部２２は、放射状領域ＥＲ１内の緑色画素各々に対応したリサイズ処理画素データＲＤと、各緑色画素の座標位置に対応した基準点間距離Ｋとを用いた加重平均演算により、背景放射状領域ＨＲ１に表示させるべき画像中の緑色画素各々に共通の背景画素データＷＡＧを生成する。更に、図６において、背景画素データ生成部２２は、放射状領域ＥＲ１内の青色画素各々に対応したリサイズ処理画素データＲＤと、各青色画素の座標位置に対応した基準点間距離Ｋとを用いた加重平均演算により、背景放射状領域ＨＲ１に表示させるべき画像中の青色画素各々に共通の背景画素データＷＡＢを生成する。以下、同様にして背景画素データ生成部２２は、下記の如き放射状領域ＥＲ２〜ＥＲ１２各々と背景放射状領域ＨＲ２〜ＨＲ１２各々との対応関係にて、ＥＲ２〜ＥＲ１２各々でのリサイズ処理画素データＲＤに基づきＨＲ２〜ＨＲ１２各々に対応した背景画素データＷＡＲ、ＷＡＧ及びＷＡＢを生成する。
【００３４】
ＥＲ１：ＨＲ１
ＥＲ２：ＨＲ２
ＥＲ３：ＨＲ３
ＥＲ４：ＨＲ４
ＥＲ５：ＨＲ５
ＥＲ６：ＨＲ６
ＥＲ７：ＨＲ７
ＥＲ８：ＨＲ８
ＥＲ９：ＨＲ９
ＥＲ１０：ＨＲ１０
ＥＲ１１：ＨＲ１１
ＥＲ１２：ＨＲ１２
そして、背景画素データ生成部２２は、各背景放射状領域ＨＲに対応づけして、上述した如き背景画素データＷＡＲ、ＷＡＧ、ＷＡＢを背景画像メモリ２５に供給する。
【００３５】
又、背景画素データ生成部２２は、入力映像信号ＶＤがγ補正処理の施されたものである場合には、データのリニアリティ確保の点から、リサイズ処理画素データＲＤに逆γ補正を施したもので上述した如き加重平均演算を実施する。この際、背景画素データ生成部２２は、加重平均演算結果としての上記背景画素データＷＡＲ、ＷＡＧ、ＷＡＢ各々に対してγ補正処理を施すことにより元のγ補正状態に戻してから、これらを背景画像メモリ２５に供給する。
【００３６】
背景画像メモリ２５は、背景画素データ生成部２２から供給された背景画素データＷＡＲ、ＷＡＧ、ＷＡＢ各々をフレーム単位で記憶する。又、背景画像メモリ２５は、画素データ出力指示部２９から供給された読出指令信号ＲＥ及び背景放射状領域指定信号θＲＤに応じて、この背景放射状領域指定信号θＲＤによって示される背景放射状領域ＨＲに対応した背景画素データＷＡＲ、ＷＡＧ、又はＷＡＢを読み出し、これを図１に示すＳＦデータ生成回路３に供給すべき画素データＰＤとして出力する。
【００３７】
表示座標発生部２６は、ＰＤＰ１０の表示画面内の全ての画素各々の座標位置を示す表示座標データＤＣを各フレーム毎に生成し、これをリサイズ画素座標決定部２７、表示画素放射角設定部２８及び画素データ出力指示部２９に供給する。
【００３８】
リサイズ画面表示位置設定部３０は、上記リモコン２００から送信された画像サイズ指定信号によって示される画像サイズ及び基点表示位置に基づき、図５に示す如きリサイズ画像ＲＳＺの四隅の画素各々に対応する、ＰＤＰ１０の表示画面内での２次元の座標位置（以下、四隅座標位置と称する）を求める。そして、リサイズ画面表示位置設定部３０は、この四隅座標位置を示す四隅画素座標位置データＲＤＣをリサイズ画素座標決定部２７及び画素データ出力指示部２９に供給する。
【００３９】
リサイズ画素座標決定部２７は、上記表示座標データＤＣ及び四隅画素座標位置データＲＤＣに基づき、図５に示す如きリサイズ画像ＲＳＺの全ての画素各々に対するＰＤＰ１０の表示画面内での２次元の座標位置（以下、リサイズ画素座標位置と称する）を求める。そして、リサイズ画素座標決定部２７は、リサイズ画像ＲＳＺの全ての画素各々に対応したリサイズ画素座標位置を示すリサイズ画素座標位置データＤＲＣをリサイズ画像メモリ２３に供給する。
【００４０】
基準点表示位置設定部３１は、上記画像サイズ指定信号によって示される基点表示位置に基づき、図５に示す如きリサイズ画像ＲＳＺの基準点Ｇに対応したＰＤＰ１０の表示画面内での２次元の座標位置（以下、基準点座標位置と称する）を求める。そして、基準点表示位置設定部３１は、この基準点座標位置を示す基準点座標位置データＳＣを表示画素放射角設定部２８に供給する。
【００４１】
表示画素放射角設定部２８は、基準点座標位置データＳＣ及び表示座標データＤＣに基づき、ＰＤＰ１０の表示画面内での各画素の座標位置毎に、図５に示す如きリサイズ画像ＲＳＺの基準点Ｇに対応した基準点座標位置からその画素を眺めた際の方位角を求める。そして、かかる方位角をＰＤＰ１０の表示画面内での各画素の座標位置に対応づけして示す表示画素角度データＤＣθを画素データ出力指示部２９に供給する。
【００４２】
画素データ出力指示部２９は、先ず、表示座標データＤＣにて示される座標位置各々に対して順次、その座標位置が図５に示す表示画面１０Ａ内のリサイズ画像ＲＳＺが表示されるべき有効領域に含まれるか、又は背景領域に含まれるのかを、四隅画素座標位置データＲＤＣに基づき判定する。ここで、有効領域であると判定された場合、画素データ出力指示部２９は、その座標位置を示すリサイズ画素読出指定信号ＲＲＤ及び読出指令信号ＲＥをリサイズ画像メモリ２３に供給する。これにより、リサイズ画像メモリ２３は、リサイズ画素読出指定信号ＲＲＤによって示される座標位置に対応したリサイズ処理画素データを読み出し、これを画素データＰＤとして図１に示すＳＦデータ生成回路３に供給する。
【００４３】
一方、表示座標データＤＣによって示される座標位置が上記背景領域に含まれると判定された場合、画素データ出力指示部２９は、先ず、上記表示画素角度データＤＣθ中からその座標位置に対応した方位角を検索し、この方位角が、図６に示す如き背景放射状領域ＨＲ１〜ＨＲ１２の内のいずれの領域の存在方向を示すのかを判定する。そして、画素データ出力指示部２９は、その判定結果としての背景放射状領域ＨＲを示す背景放射状領域指定信号θＲＤを生成し、これを読出指令信号ＲＥと共に背景画像メモリ２５に供給する。これにより、背景画像メモリ２５は、上記背景放射状領域指定信号θＲＤによって示される背景放射状領域ＨＲに対応した背景画素データＷＡＲ、ＷＡＧ、又はＷＡＢを読み出し、これを上記画素データＰＤとしてＳＦデータ生成回路３に供給する。
【００４４】
以上の如きリサイズ画像表示処理部（図４に示す）の動作によれば、ＰＤＰ１０の表示画面１０Ａ内における、リモコン２００によって指定された位置及び画像サイズにて、図６に示す如き、入力映像信号ＶＤに基づくリサイズ画像ＲＳＺが表示される。更に、かかる表示画面１０Ａ内においてリサイズ画像ＲＳＺの表示領域以外の領域、つまり背景領域には、このリサイズ画像ＲＳＺの基準点Ｇを中心にして表示画面１０Ａの外枠に向けて放射状に広がるパターン（以下、放射状画像パターンと称する）が背景画像として表示されることになる。この放射状画像パターンは、図６に示す如く、夫々がリサイズ画像ＲＳＺの基準点Ｇから表示画面１０Ａの外枠に向けて放射状に広がる複数の領域（ＥＲ、ＨＲ）毎に、その領域ＥＲに属するリサイズ画像ＲＳＺ内の各画素に対応したリサイズ処理画素データＲＤを、基準点Ｇからの距離が大なるほど重みを付けて加重平均化して得られたものである。よって、その背景画像は、リサイズ画像ＲＳＺによる全体的な色調を維持したまま、各領域（ＥＲ、ＨＲ）毎にＰＤＰ１０の表示画面１０Ａの外枠に向けて放射状に広げた画像パターンーンを有するものとなる。
【００４５】
これにより、ＰＤＰ１０の表示画面１０Ａ内に表示されたリサイズ画像と、その背景画像との間に画像の連続性が保たれるので、視聴者にとっては画面全体が一連の表示画像に視覚され、違和感の無い鑑賞が為されるようになる。更に、背景画像がリサイズ画像に基づく放射状画像パターンを有するので、表示画面全体の視聴者に対する視覚効果として立体感・奥行き感が増すことになり、迫力のある画像を視聴者に提供することができる。又、背景画像を、所定の一定色（黒又は青色等）にする場合に比して、リサイズ画像と背景画像との境界部での輝度差を少なくすることができるので、その境界部で焼き付きの発生を防止することが可能となる。
【００４６】
又、図４に示すリサイズ画像表示処理部では、表示画面内にリサイズ画像を表示するにあたり、その画像サイズを任意に調整することが可能なサイズ調整モードを備えている。これにより、視聴者の好みに応じた画像サイズにてリサイズ画像をＰＤＰ１０の表示画面内に表示させることができるようになる。この際、リサイズ画像の画像サイズを、視聴者の視線の移動が少なくなるような最低限の大きさに縮小すれば、目の疲れを軽減させることが可能となる。更に、表示画面の解像度に比べて低解像度の入力映像信号が入力された場合であっても、縮小表示を行えば、弊害なく見た目で解像感の高い画像の視聴が可能となる。又、ＰＤＰ１０の表示画面のアスペクト比と異なるアスペクト比を有する画像を担う入力映像信号が供給された場合であっても、そのアスペクト比に適合した縮小画像を表示させることができるので、表示されるオブジェクトの形状の幾何学的歪みをゼロにして視聴することができる。
【００４７】
尚、画像処理回路２内に、図４に示すリサイズ画像表示処理部と共にオービット処理部（図示せぬ）を設けるようにしても良い。オービット処理部は、表示画面１０Ａ内において図６に示す如きリサイズ画像ＲＳＺを所定サイクル時間毎に徐々に円弧状に移動させることにより画面の焼き付きを防止する、いわゆるオービット処理を実行する。この際、リモコン２００によってリサイズ画像ＲＳＺの画像サイズを小さくするほど、表示画面１０Ａ内でのリサイズ画像ＲＳＺの移動範囲が広がるので、焼き付き防止効果が高くなる。
【００４８】
又、画像処理回路２内には、図７に示すように、上記リサイズ画像表示処理部と共に、インポーズ処理部３５を設けるようにしても良い。かかるインポーズ処理部３５は、図１に示されるプラズマディスプレイ装置のチューナ部（図示せぬ）から供給された時刻情報や緊急情報等の文字情報を、図６に示す如き表示画面１０Ａ内における画面枠近傍の所定領域ＩＭＰに重畳表示させるべき処理を、背景画像メモリ２５から読み出された画素データに対して施す。これにより、表示画面１０Ａ内の背景領域に時刻情報や緊急情報等の文字情報が表示されるので、主となるリサイズ画像に対して視聴の妨げが生じない。
【００４９】
又、画像処理回路２内には、図８に示すように、上記リサイズ画像表示処理部と共に輝度補正回路３６を設けるようにしても良い。かかる輝度補正回路３６は、表示座標発生部２６から供給された表示座標データＤＣに基づき、表示画面１０Ａの中心点から画面枠に向けて徐々に輝度を低下させるべき輝度低下処理を、背景画像メモリ２５から読み出された画素データに対して施す。これにより、背景領域に表示される放射状画像パターンにおいて、画面枠側へいく程、その輝度レベルが低下した表示が為されるようになる。従って、輝度レベルを低下させた分だけ省電力化が図られると共に、表示画面の外周へ向かう程周囲が暗くなる分だけ、視覚的にリサイズ画像部の輝度が高まるような効果を得ることができる。
【００５０】
又、図４に示される構成によると、例えば図９（ａ）に示すように１フレーム画像内の上下端部に黒帯状のレターボックスＢＬを含む画像を表す入力映像信号ＶＤが供給された場合、このレターボックスＢＬの上端及び下端部各々から放射状に広がる背景領域において、図９（ａ）に示す如き暗色の放射状画像パターンＢＫＰが表示されてしまう。よって、この放射状画像パターンＢＫＰの境界部において輝度差が大となり、視聴者に違和感を与えてしまう。
【００５１】
そこで、画像処理回路２に搭載するリサイズ画像表示処理部として、図４に示されるものに代えて図１０に示されるものを採用するようにしても良い。
【００５２】
尚、図１０に示されるリサイズ画像表示処理部は、図４に示すリサイズ処理部２１に代わりリサイズ処理部４１及び黒帯除去部４２を設けた点を除く他の構成は、図４に示されるものと同一である。
【００５３】
そこで、以下に、これらリサイズ処理部４１及び黒帯除去部４２を中心にして、図１０に示されるリサイズ画像表示処理部の動作について説明する。
【００５４】
リサイズ処理部４１は、先ず、各フレーム毎に、１フレーム分の画素データＤＤに対して、その画像サイズをリモコン２００から送信されてきた画像サイズ指定信号によって示される画像サイズに拡大または縮小させるべきリサイズ処理を施すことにより、この画像サイズ内での各画素に対応したリサイズ処理画素データを生成する。例えば、１フレーム分の画素データＤＤによって表される画像（解像度：Ｈ[ドット」×Ｖ[ドット]）のサイズを１／４に縮小させる場合、リサイズ処理部４１は、この画像全体をＨ／２[ドット」×Ｖ／２[ドット]の画像サイズで表現したリサイズ画像における各画素毎のリサイズ処理画素データを生成するのである。そして、リサイズ処理部４１は、上記リサイズ画像内での各画素の座標位置に対応づけして各画素毎のリサイズ処理画素データを表すリサイズ処理画素データＲＤＰを、リサイズ画像メモリ２３及び黒帯除去部４２に供給する。尚、ここで定義する画素の座標位置とは、ＰＤＰ１０の表示画面内での２次元座標位置ではなく、上記リサイズ画像の枠内での相対的な２次元座標位置である。この際、リサイズ画像メモリ２３は、かかるリサイズ処理画素データＲＤＰによって表されるリサイズ画像内での各画素の座標位置の順に、その座標位置に対応した上記リサイズ処理画素データを書き込む。また、リサイズ画像メモリ２３は、画素データ出力指示部２９から読出指令信号ＲＥが供給されている間に亘り、その記憶内容、つまりリサイズ処理画素データを書き込まれた順、つまり座標位置の順に読み出し、これを画素データＰＤとしてＳＦデータ生成回路３に供給する。
【００５５】
黒帯除去部４２は、１フレーム分の上記リサイズ処理画素データＲＤＰ毎に、先ず、このリサイズ処理画素データＲＤＰによって表されるリサイズ画像中の上端部、下端部、右端部又は左端部に黒帯状のレターボックスが存在するか否かを判定する。ここで、黒帯状のレターボックスが存在しないと判定された場合、黒帯除去部４２は、上記リサイズ処理画素データＲＤＰをそのままリサイズ処理画素データＲＤとして背景画素データ生成部２２に供給する。更に、この際、黒帯除去部４２は、上記リサイズ画像内での各画素の座標位置を示すリサイズ画像座標位置データＲＣを生成してアドレス情報生成部２４に供給する。例えば、図５に示す如き各画素に対応した放電セルＰ(1,1)〜Ｐ(n,m)を備えたＰＤＰ１０の表示画面１０Ａ内においてｐ[ドット」×ｑ[ドット]のリサイズ画像ＲＳＺを表示させる場合には、座標位置（1,1）〜(p,q)を表すリサイズ画像座標位置データＲＣが生成される。一方、黒帯状のレターボックスが存在すると判定された場合、黒帯除去部４２は、１フレーム分の上記リサイズ処理画素データＲＤＰ中から、このレターボックスの領域に含まれる画素各々に対応した画素データを省いたものをリサイズ処理画素データＲＤとして背景画素データ生成部２２に供給する。更に、この際、黒帯除去部４２は、上記リサイズ画像中から上記レターボックスの領域に含まれる画素各々の座標位置を省いてこのリサイズ画像内での各画素の座標位置示すリサイズ画像座標位置データＲＣを生成してアドレス情報生成部２４に供給する。
【００５６】
よって、黒帯除去部４２の動作によれば、例え、黒帯状のレターボックスを含むリサイズ画像を表示する場合であっても、このリサイズ画像中からレターボックスを省いた画像に基づきその背景領域に表示させるべき放射状画像パターンが生成されるようになる。これにより、図９（ｂ）に示す如く、表示画面１０Ａ内において、レターボックスＢＬを含むリサイズ画像ＲＳＺと共に、このリサイズ画像ＲＳＺ中からレターボックスＢＬを省いた画像に基づく放射状画像パターンがその背景領域に表示される。従って、かかる背景領域内において、図９（ａ）に示す如き画像の連続性を妨げるような放射状画像パターンＢＫＰが表示されることはないので、視聴者は違和感の無い画像鑑賞を行うことが可能となる。
【００５７】
尚、図９（ｂ）に示す如きリサイズ画像ＲＳＺ中に含まれるレターボックスＢＬを排除するようにしても良い。
【００５８】
図１１は、かかる点に鑑みて為された図１０に示される構成の変形例を示す図である。
【００５９】
尚、図１１に示されるリサイズ画像表示処理部では、図１０に示すリサイズ処理部４１に代わりリサイズ処理部５１、黒帯除去部４２に代わり黒帯マスク除去部５２を採用した点を除く他の構成は、図１０に示されるものと同一である。
【００６０】
そこで、以下に、これら黒帯マスク除去部５２及びリサイズ処理部５１を中心にして、図１１に示されるリサイズ画像表示処理部の動作について説明する。
【００６１】
黒帯マスク除去部５２は、Ａ／Ｄ変換器１から供給された１フレーム分の画素データＤＤ毎に、先ず、この１フレーム分の画素データＤＤによって表される画像中の上端部、下端部、右端部又は左端部に黒帯状のレターボックスが存在するか否かを判定する。ここで、黒帯状のレターボックスが存在しないと判定された場合、黒帯マスク除去部５２は、画素データＤＤをそのまま黒帯除去画素データＤＤＭとしてリサイズ処理部５１に供給する。一方、黒帯状のレターボックスが存在すると判定された場合、黒帯マスク除去部５２は、１フレーム分の上記画素データＤＤ中から、このレターボックスの領域に含まれる画素各々に対応した画素データを省いたものを黒帯除去画素データＤＤＭとしてリサイズ処理部５１に供給する。
【００６２】
リサイズ処理部５１は、先ず、各フレーム毎に、１フレーム分の黒帯除去画素データＤＤＭに対して、その画像サイズを上記画像サイズ指定信号によって指定された画像サイズに拡大または縮小させるべきリサイズ処理を施すことにより、この画像サイズ内での各画素に対応したリサイズ処理画素データを生成する。例えば、１フレーム分の黒帯除去画素データＤＤＭによって表される画像（解像度：Ｈ[ドット」×Ｖ[ドット]）のサイズを１／４に縮小させる場合、リサイズ処理部５１は、この画像全体をＨ／２[ドット」×Ｖ／２[ドット]の画像サイズで表現した画像（以下、リサイズ画像と称する）における各画素毎のリサイズ処理画素データを生成するのである。次に、リサイズ処理部５１は、上記リサイズ画像内での各画素の座標位置を示すリサイズ画像座標位置データＲＣをアドレス情報生成部２４に供給する。尚、ここで定義する画素の座標位置とは、ＰＤＰ１０の表示画面内での２次元座標位置ではなく、上記リサイズ画像の枠内での相対的な２次元座標位置である。そして、リサイズ処理部５１は、上記リサイズ画像内での各画素の座標位置に対応づけして各画素毎のリサイズ処理画素データを表すリサイズ処理画素データＲＤを、背景画素データ生成部２２及びリサイズ画像メモリ２３に供給する。
【００６３】
よって、図１１に示される構成によれば、黒帯状のレターボックスを含む画像を表す入力映像信号ＶＤが供給された場合であっても、図９（ｃ）に示すように、このレターボックスを省いたリサイズ画像ＲＳＺを表示させることが可能となる。
【００６４】
これにより、表示画面１０Ａ内にリサイズ画像を表示するにあたり、リサイズ画像と背景画像との輝度差が無くなり、この表示画面の焼き付きが防止される。
【００６５】
尚、図１１に示される構成を採用すると、リサイズ画像中からレターボックスが間引かれてしまうので、このレターボックス内に字幕やテレビ局名などの文字情報が含まれていた場合には、その情報を表示することができない。
【００６６】
そこで、画像処理回路２に搭載するリサイズ画像表示処理部として、図１０に示す構成に代わり図１２に示す如き構成を採用しても良い。
【００６７】
尚、図１２に示されるリサイズ画像表示処理部では、図１０に示す黒帯除去部４２に代わり黒帯マスク除去部６２、画素データ出力指示部２９に代わり画素データ出力指示部６９を夫々採用すると共に、出力スイッチ７０Ａ、７０Ｂ及び混合処理部７１を新たに設けた点を除く他の構成は、図１０に示されるものと同一である。
【００６８】
そこで、以下に、これら黒帯マスク除去部６２、画素データ出力指示部６９、出力スイッチ７０Ａ、７０Ｂ及び混合処理部７１を中心にして、図１２に示されるリサイズ画像表示処理部の動作について説明する。
【００６９】
黒帯マスク除去部６２は、リサイズ処理部４１から供給された各フレーム毎のリサイズ処理画素データＲＤＰに基づき、先ず、リサイズ処理画素データＲＤＰによって表されるリサイズ画像中の上端部、下端部、右端部又は左端部に黒帯状のレターボックスが存在するか否かを判定する。ここで、黒帯状のレターボックスが存在しないと判定された場合、黒帯マスク除去部６２は、上記リサイズ処理画素データＲＤＰをそのままリサイズ処理画素データＲＤとして背景画素データ生成部２２に供給すると共に、上記リサイズ画像内での各画素の座標位置を示すリサイズ画像座標位置データＲＣを生成してアドレス情報生成部２４に供給する。一方、黒帯状のレターボックスが存在すると判定された場合、黒帯マスク除去部６２は、１フレーム分の上記リサイズ処理画素データＲＤＰ中から、このレターボックスの領域に含まれる画素各々に対応した画素データを省いたものをリサイズ処理画素データＲＤとして背景画素データ生成部２２に供給する。更に、この際、黒帯マスク除去部６２は、上記リサイズ画像中からレターボックス領域に含まれる画素各々の座標位置を省いて、このリサイズ画像内での各画素の座標位置示すリサイズ画像座標位置データＲＣを生成してアドレス情報生成部２４に供給すると共に、かかるレターボックス領域に含まれる画素各々の座標位置を示すレターボックス座標位置データＲＣＬを画素データ出力指示部６９に供給する。
【００７０】
画素データ出力指示部６９は、先ず、表示座標データＤＣにて示される座標位置各々に対して順次、その座標位置が表示画面１０Ａ内のリサイズ画像ＲＳＺが表示されるべき有効領域に含まれるか又は背景領域に含まれるのかを、四隅画素座標位置データＲＤＣに基づいて判定する。尚、表示座標データＤＣは、前述した如き表示座標発生部２６から供給されたものであり、四隅画素座標位置データＲＤＣはリサイズ画面表示位置設定部３０から供給されたものである。ここで、表示座標データＤＣによって示される座標位置が背景領域に含まれると判定された場合、画素データ出力指示部６９は、先ず、上記表示画素角度データＤＣθ中からその座標位置に対応した方位角を検索し、この方位角が、図６に示す如き背景放射状領域ＨＲ１〜ＨＲ１２の内のいずれの領域の存在方向を示すのかを判定する。そして、画素データ出力指示部６９は、その判定結果としての背景放射状領域ＨＲを示す背景放射状領域指定信号θＲＤを生成し、これを読出指令信号ＲＥと共に背景画像メモリ２５に供給する。これにより、背景画像メモリ２５は、上記背景放射状領域指定信号θＲＤによって示される背景放射状領域ＨＲに対応した背景画素データＷＡＲ、ＷＡＧ、又はＷＡＢを読み出し、これを背景画素データＰＤＡとして出力スイッチ７０Ａに供給する。更に、この際、画素データ出力指示部６９は、かかる背景画素データＰＤＡを出力ラインＯＬ及び混合処理部７１の内の出力ラインＯＬ側に供給させるべきスイッチング信号ＳＷＡを出力スイッチ７０Ａに供給する。
【００７１】
一方、表示座標データＤＣによって示される座標位置が有効領域に含まれると判定された場合、画素データ出力指示部６９は、その座標位置を示すリサイズ画素読出指定信号ＲＲＤ及び読出指令信号ＲＥをリサイズ画像メモリ２３に供給する。これにより、リサイズ画像メモリ２３は、リサイズ画素読出指定信号ＲＲＤによって示される座標位置に対応したリサイズ処理画素データを読み出し、これをリサイズ画素データＰＤＢとして出力スイッチ７０Ｂに供給する。又、この間、画素データ出力指示部６９は、上記レターボックス座標位置データＲＣＬに基づき、上記表示座標データＤＣによって示される座標位置がレターボックスに該当する座標位置であるか否かを判定する。ここで、レターボックスに該当しない座標位置であると判定された場合、画素データ出力指示部６９は、かかるリサイズ画素データＰＤＢを出力ラインＯＬ及び混合処理部７１の内の出力ラインＯＬ側に供給させるべきスイッチング信号ＳＷＢを出力スイッチ７０Ｂに供給する。一方、レターボックスに該当する座標位置であると判定された場合、画素データ出力指示部６９は、上記表示画素角度データＤＣθ中からその座標位置に対応した方位角を検索し、この方位角が、図６に示す如き背景放射状領域ＨＲ１〜ＨＲ１２の内のいずれの領域の存在方向を示すのかを判定する。そして、画素データ出力指示部６９は、その判定結果としての背景放射状領域ＨＲを示す背景放射状領域指定信号θＲＤを生成し、これを読出指令信号ＲＥと共に背景画像メモリ２５に供給する。これにより、背景画像メモリ２５は、上記背景放射状領域指定信号θＲＤによって示される背景放射状領域ＨＲに対応した背景画素データＷＡＲ、ＷＡＧ、又はＷＡＢを読み出し、これを背景画素データＰＤＡとして出力スイッチ７０Ａに供給する。更に、この間、画素データ出力指示部６９は、かかる背景画素データＰＤＡを混合処理部７１側に供給させるべきスイッチング信号ＳＷＡを出力スイッチ７０Ａに供給すると共に、上記リサイズ画素データＰＤＢを混合処理部７１側に供給させるべきスイッチング信号ＳＷＢを出力スイッチ７０Ｂに供給する。
【００７２】
出力スイッチ７０Ａは、背景画像メモリ２５から読み出された背景画素データＰＤＡを、スイッチング信号ＳＷＡに応じて、出力ラインＯＬ及び混合処理部７１の内の一方に供給する。この際、かかる背景画素データＰＤＡを出力ラインＯＬに供給した場合には、この背景画素データＰＤＡは画素データＰＤとして、出力ラインＯＬを介して図１に示すＳＦデータ生成回路３に供給される。
【００７３】
出力スイッチ７０Ｂは、リサイズ画像メモリ２３から読み出されたリサイズ画素データＰＤＢを、スイッチング信号ＳＷＢに応じて、出力ラインＯＬ及び混合処理部７１の内の一方に供給する。この際、かかるリサイズ画素データＰＤＢを出力ラインＯＬに供給した場合には、このリサイズ画素データＰＤＢは画素データＰＤとして、出力ラインＯＬを介してＳＦデータ生成回路３に供給される。
【００７４】
混合処理部７１は、出力スイッチ７０Ａから供給された背景画素データＰＤＡと、出力スイッチ７０Ｂから供給されたリサイズ画素データＰＤＢとを、同一画素に該当する画素データ同士にて、その画素データによって示される輝度レベルを所定混合率にて混合したものを画素データＰＤとして、出力ラインＯＬを介してＳＦデータ生成回路３に供給する。
【００７５】
従って、これら混合処理部７１、出力スイッチ７０Ａ及び７０Ｂによれば、黒帯状のレターボックスを含むリサイズ画像を表示させる場合には、以下の如き処理が為される。つまり、リサイズ画像中のレターボックスの表示領域に対しては、このレターボックスに対応した画像（リサイズ画素データＰＤＢ）と、リサイズ画像中からレターボックス部を省いた画像に基づいて生成された放射状パターンを有する背景画像（背景画素データＰＤＡ）とを混合した画像を表示させるべき画素データＰＤが生成されるのである。
【００７６】
よって、かかる処理によれば、レターボックス内に字幕やテレビ局名などの文字情報が含まれていても、この文字情報を間引くこと無く、レターボックスの境界部での輝度差を小さくして画面の焼き付きを防止することが可能となる。
【００７７】
尚、図１２に示される構成において、混合処理部７１では、背景画素データＰＤＡとリサイズ画素データＰＤＢとを混合することにより、ＳＦデータ生成回路３に供給すべき画素データＰＤを生成するようにしているが、両者（ＰＤＡ、ＰＤＢ）の内で輝度レベルの高い方を画素データＰＤとしてＳＦデータ生成回路３に供給するようにしても良い。かかる構成によれば、レターボックス内の黒表示を担う画素に対してはこの黒表示よりも高輝度な背景画像を担う背景画素データＰＤＡが画素データＰＤとしてＳＦデータ生成回路３に供給される。一方、レターボックス内の文字情報（白表示）を担う画素に対しては、背景画像よりも高輝度な文字情報を担うリサイズ画素データＰＤＢが画素データＰＤとしてＳＦデータ生成回路３に供給される。これにより、リサイズ画像中のレターボックス内では、文字情報を担う画素以外の画素において背景画素データＰＤＡに基づく背景画像表示が実行され、文字情報を担う画素においてリサイズ画素データＰＤＢに基づく文字情報表示が為されるのである。
【００７８】
又、上記実施例では、入力映像信号ＶＤに基づく画像のサイズを縮小させて表示画面内に表示させる場合の動作について述べたが、この画像中から一部の領域を省いた画像を表示画面内に表示させる場合にも同様に適用可能である。
【００７９】
図１３は、かかる点に鑑みて為されたリサイズ画像表示処理部の構成を示す図である。
【００８０】
尚、図１３に示されるリサイズ画像表示処理部においては、図４に示すリサイズ処理部２１に代わりリサイズ処理部８１を採用した点を除く他の構成は、図４に示されるものと同一であるが、上記サイズ調整モードではなく、スタンダード表示モードにおいて動作するものである。
【００８１】
以下に、リサイズ処理部８１を中心にして、図１３に示されるリサイズ画像表示処理部の動作について説明する。
【００８２】
リサイズ処理部８１には、ＰＤＰ１０の表示画面１０Ａ内において時計情報、天気予報等の文字情報を表示する為の図１４（ａ）又は図１４（ｂ）に示す如き帯状の背景領域ＢＹＥの座標位置を示す情報が予め記憶されている。尚、図１４（ａ）では、表示画面１０Ａ内の上端部（又は下端部）に背景領域ＢＹＥが形成され、その他の領域が、入力映像信号ＶＤに基づく画像中から一部の領域を省いたリサイズ画像ＲＳＺが表示されるべき領域となる場合の一例を示す図である。又、図１４（ｂ）は、入力映像信号ＶＤに基づく画像中から島状に一部の領域を省いたリサイズ画像ＲＳＺが表示画面１０Ａの全面に表示され、その一部の領域が背景領域ＢＹＥとなる場合の一例を示す図である。
【００８３】
リサイズ処理部８１は、先ず、各フレーム毎に、１フレーム分の画素データＤＤ中から、上記背景領域ＢＹＥに属する画素各々に対応した画素データを間引いたものをリサイズ処理画素データＲＤとして生成し、背景画素データ生成部２２及びリサイズ画像メモリ２３に供給する。次に、リサイズ処理部８１は、上記リサイズ処理画素データＲＤに基づく画像内での各画素の座標位置を示すリサイズ画像座標位置データＲＣをアドレス情報生成部２４に供給する。
【００８４】
かかるリサイズ処理部８１の動作によれば、ＰＤＰ１０の表示画面１０Ａ内において、図１４（ａ）又は図１４（ｂ）に示す如き背景領域ＢＹＥを除く領域、つまり有効領域ＥＹＥに、入力映像信号ＶＤに基づく画像が表示されると共に、背景領域ＢＹＥには、かかる画像に基づいて生成された図６に示す如き放射状画像パターンを有する背景画像が表示される。よって、図１３に示されるリサイズ画像表示処理部によって最終的に生成された画素データＰＤに対して、背景領域ＢＹＥ内に時計情報、天気予報等の文字情報を重畳表示させるべき処理を施すようにすれば、視聴者に違和感を与えることなく表示画面の焼き付きを防止することが可能となる。
【００８５】
又、図１３に示す実施例において、図１４（ａ）又は図１４（ｂ）に示す背景領域ＢＹＥと有効領域ＥＹＥとの境界付近に対しては、これら背景領域ＢＹＥ及び有効領域ＥＹＥ各々に表示されるべき画像同士を混合したものを表示するようにしても良い。
【００８６】
図１５は、かかる点に鑑みて為された、図１３に示すリサイズ画像表示処理部の変形例を示す図である。
【００８７】
尚、図１５に示されるリサイズ画像表示処理部においては、図１３に示すリサイズ画像メモリ２３をリサイズ処理部８１の後段ではなく前段に設け、画素データ出力指示部２９に代わり画素データ出力指示部１２９を採用すると共に、出力スイッチ１００Ａ、１００Ｂ及び混合処理部１０１を追加した点を除く他の構成は、図１３に示すものと同一である。
【００８８】
よって、以下にリサイズ画像メモリ２３、出力スイッチ１００Ａ、１００Ｂ、混合処理部１０１及び画素データ出力指示部１２９を中心にして、図１５に示されるリサイズ画像表示処理部の動作について説明する。
【００８９】
図１５において、リサイズ画像メモリ２３は、Ａ／Ｄ変換器１から供給された１フレーム分の画素データＤＤ各々を各画素毎にその座標位置の順に書き込む。また、リサイズ画像メモリ２３は、画素データ出力指示部１２９から読出指令信号ＲＥが供給されている間に亘り、その記憶内容、つまり入力映像信号ＶＤに基づく各画素毎の画素データを、書き込まれた順、つまり座標位置の順に読み出し、これをリサイズ画素データＰＤＢとして出力スイッチ１００Ｂに供給する。
【００９０】
画素データ出力指示部１２９は、先ず、表示座標データＤＣにて示される座標位置各々に対して順次、その座標位置が、例えば図１４（ａ）に示す如き表示画面１０Ａ内のリサイズ画像ＲＳＺが表示されるべき有効領域、背景領域ＢＹＥ、或いは両者の境界部の境界領域ＫＥ（破線にて示す）のいずれの領域に含まれるのかを、上記四隅画素座標位置データＲＤＣに基づいて判定する。
【００９１】
ここで、表示座標データＤＣによって示される座標位置が背景領域に含まれると判定された場合、画素データ出力指示部１２９は、先ず、上記表示画素角度データＤＣθ中からその座標位置に対応した方位角を検索し、この方位角が、図６に示す如き背景放射状領域ＨＲ１〜ＨＲ１２の内のいずれの領域の存在方向を示すのかを判定する。そして、画素データ出力指示部１２９は、その判定結果としての背景放射状領域ＨＲを示す背景放射状領域指定信号θＲＤを生成し、これを読出指令信号ＲＥと共に背景画像メモリ２５に供給する。これにより、背景画像メモリ２５は、上記背景放射状領域指定信号θＲＤによって示される背景放射状領域ＨＲに対応した背景画素データＷＡＲ、ＷＡＧ、又はＷＡＢを読み出し、これを背景画素データＰＤＡとして出力スイッチ１００Ａに供給する。更に、この間、画素データ出力指示部１２９は、かかる背景画素データＰＤＡを出力ラインＯＬ及び混合処理部１０１の内の出力ラインＯＬ側に供給させるべきスイッチング信号ＳＷＡを出力スイッチ１００Ａに供給する。
【００９２】
また、表示座標データＤＣによって示される座標位置が有効領域に含まれると判定された場合、画素データ出力指示部１２９は、その座標位置を示すリサイズ画素読出指定信号ＲＲＤ及び読出指令信号ＲＥをリサイズ画像メモリ２３に供給する。これにより、リサイズ画像メモリ２３は、リサイズ画素読出指定信号ＲＲＤによって示される座標位置に対応したリサイズ処理画素データを読み出し、これをリサイズ画素データＰＤＢとして出力スイッチ１００Ｂに供給する。更に、この間、画素データ出力指示部１２９は、かかるリサイズ画素データＰＤＢを出力ラインＯＬ及び混合処理部１０１の内の出力ラインＯＬ側に供給させるべきスイッチング信号ＳＷＢを出力スイッチ１００Ｂに供給する。
【００９３】
ここで、表示座標データＤＣによって示される座標位置が境界領域に含まれると判定された場合、画素データ出力指示部１２９は、上記背景画素データＰＤＡ及びリサイズ画素データＰＤＢを共に混合処理部１０１側に供給させるべきスイッチング信号ＳＷＡ及びＳＷＢを夫々出力スイッチ１００Ａ及び１００Ｂに供給する。
【００９４】
出力スイッチ１００Ａは、背景画像メモリ２５から読み出された、放射状画像パターンを表す背景画素データＰＤＡを、スイッチング信号ＳＷＡに応じて、出力ラインＯＬ及び混合処理部１０１の内の一方に供給する。この際、かかる背景画素データＰＤＡを出力ラインＯＬに供給した場合には、この背景画素データＰＤＡは画素データＰＤとして図１に示すＳＦデータ生成回路３に供給される。
【００９５】
出力スイッチ１００Ｂは、リサイズ画像メモリ２３から読み出されたリサイズ画素データＰＤＢを、スイッチング信号ＳＷＢに応じて、出力ラインＯＬ及び混合処理部１０１の内の一方に供給する。この際、かかるリサイズ画素データＰＤＢを出力ラインＯＬに供給した場合には、このリサイズ画素データＰＤＢは画素データＰＤとしてＳＦデータ生成回路３に供給される。
【００９６】
混合処理部１０１は、出力スイッチ１００Ａから供給された背景画素データＰＤＡと、出力スイッチ１００Ｂから供給されたリサイズ画素データＰＤＢとを、同一画素に該当する画素データ同士にて、その画素データによって示される輝度レベルを所定混合率にて混合したものを画素データＰＤとして、出力ラインＯＬを介してＳＦデータ生成回路３に供給する。
【００９７】
従って、これら混合処理部１０１、出力スイッチ１００Ａ及び１００Ｂによれば、入力映像信号に基づく画像中から一部の領域を間引き、その領域を文字情報を表示する為の背景領域とするにあたり、図１４（ａ）に示す如き背景領域ＢＹＥと有効領域との境界領域ＫＥでは、両領域に表示されるべき画像を混合した画像が表示されるようになる。よって、その境界部での輝度差が小さくなり、視聴者に対して違和感の少ない画像を提供することが可能となる。
【００９８】
尚、図１５に示される実施例では、背景領域ＢＹＥ及び有効領域各々に表示させるべき画像同士を混合した画像を境界領域ＫＥに表示させるようにしているが、背景領域ＢＹＥに対しても、この背景領域ＢＹＥ及び有効領域各々に表示させるべき画像同士を混合した画像を表示させるようにしても良い。この際、図１５に示すリサイズ処理部８１は、各画素に対応した画素データＤＤをそのままリサイズ処理画素データＲＤとして背景画素データ生成部２２及びリサイズ画像メモリ２３に供給すると共に、上記リサイズ処理画素データＲＤに基づく画像内での各画素の座標位置を示すリサイズ画像座標位置データＲＣをアドレス情報生成部２４に供給する。又、図１５に示す画素データ出力指示部１２９は、表示座標データＤＣによって示される座標位置が背景領域に含まれると判定された場合には、境界領域ＫＥであると判定された場合と同様に上記背景画素データＰＤＡ及びリサイズ画素データＰＤＢ各々を混合処理部１０１に供給させるべきスイッチング信号ＳＷＡ及びＳＷＢを夫々出力スイッチ１００Ａ及び１００Ｂに供給する。かかる動作によれば、入力映像信号ＶＤに基づく画像中の背景領域ＢＹＥに該当する部分に予め文字情報が含まれている場合に、この文字情報を半透明状態で表示画面１０Ａ内の背景領域ＢＹＥに表示させることが可能となる。
【００９９】
又、図１３に示される構成において、入力映像信号ＶＤに基づく各フレーム毎の画素データＤＤ中から、文字情報に対応した画像を担う画素データ（以下、文字画素データと称する）を抽出し、この文字画素データに基づく画像にのみオービット処理を施すようにしても良い。
【０１００】
図１６は、かかる点に鑑みて為された、図１３に示す如きリサイズ画像表示処理部の変形例を示す図である。
【０１０１】
尚、図１６に示されるリサイズ画像表示処理部においては、図１３に示される画素データ出力指示部２９に代わり画素データ出力指示部２２９を採用し、更に文字情報検出記憶部２３０を追加した点を除く他の構成は、図１３に示されるものと同一である。
【０１０２】
よって、以下に画素データ出力指示部２２９及び文字情報検出記憶部２３０を中心にして、図１６に示されるリサイズ画像表示処理部の動作について説明する。
【０１０３】
図１６において、文字情報検出記憶部２３０は、入力映像信号ＶＤに基づく各フレーム毎の画素データＤＤ各々の内から、図１４（ａ）又は図１４（ｂ）に示す如き背景領域ＢＹＥに含まれる文字情報に対応した文字画素データの検出を行う。この際、画素データＤＤ各々の内から文字画素データの検出が為されたら、文字情報検出記憶部２３０は、この文字画素データに対応した画素の座標位置に対応づけして、かかる文字画素データを記憶する。更に、文字情報検出記憶部２３０は、文字画素データが検出されたことを示すと共にその文字画素データに対応した画素の座標位置を示す文字画素座標位置信号ＴＤを画素データ出力指示部２２９に供給する。又、文字情報検出記憶部２３０は、画素データ出力指示部２２９から文字画素データに対応した画素の座標位置を示す文字画素データ読出信号ＴＲが供給されたら、この文字画素データ読出信号ＴＲによって示される座標位置に対応した文字画素データを読み出しこれを画素データＰＤとして図１に示されるＳＦデータ生成回路３に供給する。
【０１０４】
画素データ出力指示部２２９は、先ず、表示座標データＤＣにて示される座標位置各々に対して順次、その座標位置が図１４（ａ）又は図１４（ｂ）の如き表示画面１０Ａ内のリサイズ画像ＲＳＺが表示されるべき有効領域に含まれるか、又は背景領域ＢＹＥに含まれるのかを、四隅画素座標位置データＲＤＣに基づき判定する。ここで、有効領域であると判定された場合、画素データ出力指示部２２９は、その座標位置を示すリサイズ画素読出指定信号ＲＲＤ及び読出指令信号ＲＥをリサイズ画像メモリ２３に供給する。これにより、リサイズ画像メモリ２３は、リサイズ画素読出指定信号ＲＲＤによって示される座標位置に対応したリサイズ処理画素データを読み出し、これを画素データＰＤとして図１に示すＳＦデータ生成回路３に供給する。一方、表示座標データＤＣによって示される座標位置が上記背景領域に含まれると判定された場合、画素データ出力指示部２２９は、先ず、上記表示画素角度データＤＣθ中からその座標位置に対応した方位角を検索し、この方位角が、図６に示す如き背景放射状領域ＨＲ１〜ＨＲ１２の内のいずれの領域の存在方向を示すのかを判定する。そして、画素データ出力指示部２２９は、その判定結果としての背景放射状領域ＨＲを示す背景放射状領域指定信号θＲＤを生成し、これを読出指令信号ＲＥと共に背景画像メモリ２５に供給する。これにより、背景画像メモリ２５は、上記背景放射状領域指定信号θＲＤによって示される背景放射状領域ＨＲに対応した背景画素データＷＡＲ、ＷＡＧ、又はＷＡＢを読み出し、これを上記画素データＰＤとしてＳＦデータ生成回路３に供給する。
【０１０５】
又、画素データ出力指示部２２９は、文字情報検出記憶部２３０から文字画素座標位置信号ＴＤが供給されたら、このフレームにおいて、かかる文字画素座標位置信号ＴＤにて示される座標位置に対応した文字画素データを、この座標位置とは異なる所定座標位置に対応したタイミングで読み出すべき文字画素データ読出信号ＴＲを文字情報検出記憶部２３０に供給する。この際、画素データ出力指示部２２９は、上記の所定座標位置を所定の一定周期毎に徐々に変更して行くことにより、文字情報表示に対してオービット処理を施す。
【０１０６】
これにより、表示画面１０Ａ内において比較的高輝度で表示される文字情報のみにオービット処理が施されることになるので、オービット処理が施される領域とそれ以外の領域との境界部において大きな輝度差が生じない。それ故に、視聴者に違和感を与えることなく、焼き付きの発生をより強固に防ぎながら、文字情報を表示することが可能となる。
【０１０７】
尚、図１６に示す実施例においては、入力映像信号ＶＤに対応した各画素毎の画素データＤＤ各々から文字に対応した画素データを検出するようにしているが、検出すべき対象は文字情報に限定されない。例えば、文字検出の代わりに周知のエッジ検出方法によって、輝度差が大きい急峻な段差のある画像領域を検出して切り出し、その領域のみに対して同様の方法でオービット処理を施してもよい。
【０１０８】
更に、図１６に示す構成に、図１５に示される出力スイッチ１００Ａ、１０Ｂ及び混合処理部１０１を追加することにより、上記オービット処理による所定座標位置において、文字情報に対応する文字画素データと、この所定座標位置での画素データとを所定混合率で混合したものを画素データＰＤとしてＳＦデータ生成回路３に供給するようにしても良い。この場合、文字情報の表示が半透明状となり、更に焼き付きの防止効果を得ることができる。更に、図１６に示されるリサイズ処理部８１において、文字情報検出記憶部２３０と同様な文字情報検出を行うようにしても良い。この際、リサイズ処理部８１は、文字情報検出によって検出された文字情報の座標位置を背景領域ＢＹＥとし、この座標位置を示す情報を画素データ出力指示部２２９に供給する。すなわち、文字情報に対応する画素のみを背景領域ＢＹＥとし、この部分だけにオービット処理を施すのである。かかる構成により、表示画面１０Ａ内において放射状画像パターンを表示させる領域を最小限にすることができるので、文字情報のみにオービット処理を施して焼き付き防止を図ると共に画像表示のリアリティを高めることが可能となる。
【０１０９】
又、上記実施例においては、リサイズ画像ＲＳＺによる２次元平面の中心点を、表示画面１０Ａ内の背景領域に表示させるべき放射状画像パターンを生成する為の基準点Ｇとしているが、基準点Ｇは、必ずしもリサイズ画像ＲＳＺの中心点でなくても良い。例えば、上記アドレス情報生成部２４及び基準点表示位置設定部３１各々にも画素データＤＤが供給される構成とし、両者において、各フレーム毎の画素データＤＤによって表される画像中から、消失点（透視図法における）を検出し、その消失点を基準点Ｇとして設定する。尚、消失点は、例えば、Hough変換等の直線検出を用いて複数の直線から確からしい交点を推定するなどの周知の手法により取得することができる。かかる構成によれば、視覚効果の集中線の中心である基準点が、画像の消失点と一致するので、表示画面１０Ａ内の全面に表示される画像が線遠近法を用いた透視図で表された様な画像となり、よりリアリティの高い画像となり、視聴者にとってはより違和感が無くなる。
【０１１０】
又、上記アドレス情報生成部２４及び基準点表示位置設定部３１各々において、各フレーム毎の画素データＤＤによって表される画像中から地平線や水平線検出を行い、基準点Ｇをリサイズ画像ＲＳＺの中心点ではなく、この地平線上に設定するようにしてもよい。以下に、かかる構成を採用したことによる効果について図１７（ａ）及び図１７（ｂ）を参照しつつ説明する。尚、図１７（ａ）及び図１７（ｂ）は、表示画面１０Ａ内において、例えば「空」及び「海」を夫々表す画像領域の境界線ＫＱが水平線となる画像を表すリサイズ画像ＲＳＺが表示された場合を示すものである。この際、図１７（ａ）は、リサイズ画像ＲＳＺの中心点を基準点Ｇとして「海」を表す画像Ｅ１に基づく放射状画像パターンを生成し、これを背景領域に表示させた場合での表示形態の一例を示す図である。図１７（ａ）では、背景領域内において放射状画像領域ＨＧによって形成される境界線ＭＱの伸張方向と、リサイズ画像ＲＳＺ内での境界線ＫＱの伸張方向（水平方向）と、が異なる為に視聴者に違和感を与える。一方、図１７（ｂ）は、リサイズ画像ＲＳＺ中において「空」及び「海」を夫々表す画像領域の境界線ＫＱ上に基準点Ｇを設定した場合での放射状画像領域ＨＧの形態を示す図である。この際、図１７（ｂ）に示すように、背景領域内において放射状画像領域ＨＧによって形成される境界線の伸張方向は、境界線ＫＱの伸張方向（水平方向）と同一となるので、リサイズ画像ＲＳＺ及び背景画像間で画像の連続性が保たれ、視聴者に対してよりリアリティのある画像が提供されるようになる。
【０１１１】
また、基準点Ｇを設定するにあたり、リサイズ画像ＲＳＺ中に含まれる複数の表示物体の内の１の表示物体を対象とし、その表示物体の重心を基準点Ｇとして設定するようにしても良い。この際、上記アドレス情報生成部２４及び基準点表示位置設定部３１は、リサイズ画像ＲＳＺ中に含まれる表示物体の内で、最もサイズが大なる表示物体、最も輝度レベルが高い表示物体、リサイズ画像ＲＳＺの中心点に最も近い位置に存在する表示物体、或いはこの中心点に存在する表示物体の重心を基準点Ｇとして設定する。すなわち、画像中で視聴者が一番注目しそうな表示物体の重心位置を基準点Ｇとして放射状に伸びる放射状画像パターンを背景領域に表示させるのである。これにより、視聴者にとってよりリアリティのある画像が視覚されることになる。
【０１１２】
又、上記実施例に示されるが如き放射状画像パターンを背景領域に表示させるようにした技術を、フィルムソースに基づく映像信号をＮＴＳＣ（National Television Standards Committee）に準拠したテレビジョン映像信号に準ずるフレームレートに変換する際のフレームレート変換処理にも利用することも可能である。例えば、入力映像信号ＶＤに基づく第１フレームの画像が図１８（ａ）、それに続く第２フレームの画像が図１８（ｂ）である場合、フレームレート変換処理では図１８（ｃ）に示す如き両者の中間時点での補間画像を生成する。すなわち、図１８（ａ）に示すように画面中央に存在した円形の表示物体ＤＯＰが、次のフレームにおいて図１８（ｂ）に示す如く画面右端に移動する場合、フレームレート変換処理では、先ず、図１８（ａ）に示す画像中から領域ＡＱに対応した画像のみを抽出し、これをそのまま図１８（ｃ）に示す領域ＢＱでの画像とする。ここで、かかる領域ＢＱの画像を新たにリサイズ画像ＲＳＺと定義すると共に、図１８（ｃ）に示す領域ＣＱを背景領域と捉える。その上で、背景画素データ生成回路２２において、この背景領域に表示させるべき放射状画像パターンを表す背景画素データＷＡを、上記リサイズ画像ＲＳＺに基づいて生成させるのである。
【０１１３】
又、入力映像信号ＶＤ中に、この映像信号の撮影元であるビデオカメラの撮影状況情報（画面パン方向、画面回転方向）が含まれている場合には、この撮影状況情報に基づいて、表示画面１０Ａ内でのリサイズ画像ＲＳＺの表示位置を移動させるようにしても良い。この際、リサイズ画面表示位置設定部３０は、入力映像信号ＶＤに含まれている撮影状況情報を取り込む。そして、リサイズ画面表示位置設定部３０は、この撮影状況情報によって示される画面パン方向、又は画面回転方向によって示される方向にリサイズ画像ＲＳＺの表示画面１０Ａ内での表示位置を移動させた際のリサイズ画像ＲＳＺの四隅座標位置を求め、かかる四隅座標位置を示す四隅画素座標位置データＲＤＣを生成する。これにより、表示画面１０Ａ内において、リサイズ画像ＲＳＺの表示位置が、入力映像信号の撮影元であるビデオカメラの撮影状況情報に従って自動的に移動する。例えば、図１９（ａ）の如く、第１フレームにおいてリサイズ画像ＲＳＺに含まれる表示物体ＤＯＰが表示画面１０Ａ内の略中央に表示されていたとする。そして、次の第２フレームまでの間でビデオカメラが右方向にパンすると、本来、そのビデオカメラによって撮影された第２フレームの画像は、図１９（ｂ）の如く、表示物体ＤＯＰがリサイズ画像ＲＳＺ内の左端に移動したものとなる。この際、上記の如きリサイズ画面表示位置設定部３０は、入力映像信号ＶＤに含まれている撮影状況情報を取り込み、その情報によって示される画面パン方向が右方向であることから、現時点でのリサイズ画像ＲＳＺの表示位置を右方向に移動した際の新たなリサイズ画像ＲＳＺにおける四隅画素座標位置データＲＤＣを生成する。これにより、次の第２フレームにおいて、表示画面１０Ａ内でのリサイズ画像ＲＳＺの表示位置は、図１９（ｃ）に示すように、画面右方向に移動したものとなる。これにより、動画像に対してもフレーム相関が大きくなるのでフレーム巡回ディザ処理を行う場合において、視聴者におけるディザノイズが認識されにくくなる。何故ならば、一般的にディザ処理は視聴者の視線が動かない場合に最適になる様に設定されており、この例の場合、表示物体ＤＯＰが表示画面１０Ａ内を移動する移動量が小となるので、かかる表示物体ＤＯＰを注視する視聴者の視線が殆ど移動しないからである。
【０１１４】
又、上記実施例に示されるが如き放射状画像パターンを背景領域に表示させるようにした技術を、ビデオカメラの手ブレ補正処理に利用することも可能である。例えば、手ブレ状態でビデオカメラによって撮影された第１フレームの画像が図２０（ａ）、続く第２フレームの画像が図２０（ｂ）である場合、手ブレ補正処理では第２フレームの画像を図２０（ｃ）に示す如き状態に補正する。すなわち、図２０（ａ）の如くリサイズ画像ＲＳＺの中央部に存在した円形の表示物体ＤＯＰが、手ブレの影響により、次の第２フレームにおいて図２０（ｂ）に示すようにリサイズ画像ＲＳＺ内の左端に移動してしまった場合、手ブレ補正処理では、先ず、図２０（ａ）に示す画像中から領域ＡＱに対応した画像のみを抽出し、これをそのまま図２０（ｃ）に示す領域ＢＱでの画像とする。ここで、かかる領域ＢＱの画像を新たにリサイズ画像ＲＳＺと定義すると共に、図２０（ｃ）に示す領域ＣＱを背景領域と捉える。その上で、背景画素データ生成回路２２において、この背景領域に表示させるべき放射状画像パターンを表す背景画素データＷＡを、上記リサイズ画像ＲＳＺに基づいて生成させるのである。
【０１１５】
又、前後のフレームで、表示画面１０Ａ内でのリサイズ画像ＲＳＺの表示位置が移動した場合、その移動量にあわせて基準点Ｇを移動させても良く、或いは固定しても良い。更に、前後のフレームで、基準点Ｇの表示画面１０Ａ内での位置を移動させた場合、その移動量に追従してリサイズ画像ＲＳＺの表示位置を移動させてもよい。
【０１１６】
以下に、表示画面１０Ａ内でのリサイズ画像ＲＳＺの移動に伴う、基準点Ｇの座標位置の移動例を図２１（ａ）〜図２１（ｃ）を参照しつつ説明する。
【０１１７】
尚、図２１（ａ）は第１フレームの画像、図２１（ｂ）及び図２１（ｃ）は夫々この第１フレームに後続する第２フレームの画像を表すものである。
【０１１８】
先ず、表示画面１０Ａ内でのリサイズ画像ＲＳＺの表示位置が図２１（ａ）に示す如き第１フレームから図２１（ｂ）に示す第２フレームの状態に遷移した場合、つまり、画面右方向に移動した場合、図２１（ｂ）の状態では、リサイズ画像ＲＳＺの移動にあわせてその基準点Ｇも移動する。よって、かかるリサイズ画像ＲＳＺの移動に伴い、その背景領域に表示される放射状画像パターンの形態も図２１（ａ）の状態から変化し、立体感・臨場感が維持される。一方、表示画面１０Ａ内でのリサイズ画像ＲＳＺの表示位置が図２１（ａ）に示す如き第１フレームから図２１（ｃ）に示す第２フレームの状態に遷移した場合、リサイズ画像ＲＳＺの基準点Ｇの座標位置は変化しない。すなわち、この際、背景領域に表示される放射状画像パターンの形態も図２１（ａ）の状態から変化しないので、その画像の立体感・臨場感は図２１（ｂ）の状態に比して低下する。しかしながら、たとえ表示画面１０Ａ内でのリサイズ画像ＲＳＺの移動量が大きい場合であっても、図２１（ｂ）の状態に遷移する場合に比して視聴者への目の負担が軽減される。
【０１１９】
ここで、例えば、図２２に示す如く、リサイズ画像ＲＳＺ中に人物等の表示物体が存在する場合、背景領域中における人物近傍の放射状領域ＥＲａ及びＥＲｂ各々で表示させるべき放射状画像パターンは、リサイズ画像ＲＳＺ内の人物に対応した画素データに基づいて生成されることになる。この際、背景領域内において図２２に示す如き放射状領域ＥＲａ及びＥＲｂ以外の領域では、リサイズ画像ＲＳＺ中における人物以外の背景画像に基づき、放射状画像パターンが生成される。よって、表示画面１０Ａ内の背景領域において放射状に大きな輝度差のある境界部が発生してしまい視聴者に違和感を与えてしまうことになる。
【０１２０】
この様な場合、先ず、リサイズ画像ＲＳＺに対応した画素データに対して表示物体に該当する領域の検出を行い、表示物体が検出された領域を近景画像領域とする一方、表示物体が検出されなかった領域を背景部に該当する遠景画像領域とする。そして、遠景画像領域内のリサイズ処理画素データＲＤの比重を大きく、又は近景画像領域のリサイズ処理画素データＲＤを排除した上で、背景画素データ生成回路２２において、放射状領域ＥＲａ及びＥＲｂに表示させるべき放射状画像パターンを表す背景画素データＷＡを生成させるのである。なお、上述した如き放射状領域ＥＲａ及びＥＲｂに対応するリサイズ画像ＲＳＺ内に遠景画像領域が存在しない場合、その周囲の遠景画素領域内のリサイズ処理画素データＲＤを代用して背景画素データＷＡを生成してもよい。以上の処理により、図２２に示す如き表示画面１０Ａ内の背景領域の全領域が、リサイズ画像ＲＳＺ内での背景部を表すリサイズ処理画素データＲＤに基づいて生成された画像となる。よって、上述した如き輝度差の大きい境界部の発生を防ぐと共に、表示物体がより目立つようになり、視聴者にとって見やすい画像となる。
【図面の簡単な説明】
【０１２１】
【図１】本発明による画像表示方法に従って画像表示を行うプラズマディスプレイ装置の概略構成を示す図である。
【図２】ＰＤＰ１０を駆動する際の発光駆動シーケンスの一例を示す図である。
【図３】リモコン２００の操作面の一部を示す図である。
【図４】図１に示される画像処理回路２に搭載されているリサイズ画像表示処理部の内部構成の一例を示す図である。
【図５】ＰＤＰ１０の表示画面１０Ａ内に表示されたリサイズ画像ＲＳＺと、各画素位置との対応関係を示す図である。
【図６】表示画面１０Ａ内のリサイズ画像ＲＳＺ内において定義された放射状領域（ＥＲ１〜ＥＲ１２）及び背景領域内において定義された背景放射状領域（ＨＲ１〜ＨＲ１２）の形態の一例を示す図である。
【図７】図４に示されるリサイズ画像表示処理部の他の一例を示す図である。
【図８】図４に示されるリサイズ画像表示処理部の他の一例を示す図である。
【図９】図１０に示されるリサイズ画像表示処理部による表示動作の一例を示す図である。
【図１０】図４に示されるリサイズ画像表示処理部の他の一例を示す図である。
【図１１】図１０に示されるリサイズ画像表示処理部の変形例の一例を示す図である。
【図１２】図１０に示されるリサイズ画像表示処理部の変形例の一例を示す図である。
【図１３】図４に示されるリサイズ画像表示処理部の他の一例を示す図である。
【図１４】図１３に示されるリサイズ画像表示処理部の動作を説明する為の図である。
【図１５】図１３に示されるリサイズ画像表示処理部の変形例を示す図である。
【図１６】図１３に示されるリサイズ画像表示処理部の変形例を示す図である。
【図１７】リサイズ画像表示処理部による表示動作の他の一例を示す図である。
【図１８】リサイズ画像表示処理部による表示動作の他の一例を示す図である。
【図１９】リサイズ画像表示処理部による表示動作の他の一例を示す図である。
【図２０】リサイズ画像表示処理部による表示動作の他の一例を示す図である。
【図２１】リサイズ画像表示処理部による表示動作の他の一例を示す図である。
【図２２】リサイズ画像表示処理部による表示動作の他の一例を示す図である。
【主要部分の符号の説明】
【０１２２】
２             画像処理回路
１０           ＰＤＰ
２００         リモコン
【図１】
2009162899.tif 000003
【図２】
2009162899.tif 000004
【図３】
2009162899.tif 000005
【図４】
2009162899.tif 000006
【図５】
2009162899.tif 000007
【図６】
2009162899.tif 000008
【図７】
2009162899.tif 000009
【図８】
2009162899.tif 000010
【図９】
2009162899.tif 000011
【図１０】
2009162899.tif 000012
【図１１】
2009162899.tif 000013
【図１２】
2009162899.tif 000014
【図１３】
2009162899.tif 000015
【図１４】
2009162899.tif 000016
【図１５】
2009162899.tif 000017
【図１６】
2009162899.tif 000018
【図１７】
2009162899.tif 000019
【図１８】
2009162899.tif 000020
【図１９】
2009162899.tif 000021
【図２０】
2009162899.tif 000022
【図２１】
2009162899.tif 000023
【図２２】
2009162899.tif 000024